(57)【要約】      （修正有）【課題】天然の麻糸で編織したタオルのような感触が得られて、あかすり効果も良好で、さらに耐久性にすぐれたあかすり用手拭を製造する。【解決手段】複数本の合成繊維糸３を組み合わせた芯材にメローミシンによって合成繊維糸６を巻縫いして合成繊維糸の結束糸７を形成し、この合成繊維糸の結束糸７を経糸または／および緯糸に使用して所定の大きさの手拭の織物を形成するものである。２〜６本のポリエステルの合成繊維糸の芯材にナイロンの合成繊維糸６を巻縫いして合成繊維糸の結束糸７を形成することが好ましく、合成繊維糸の結束糸７を経糸および緯糸の全部に使用して手拭を編織することが望ましい。【選択図】図２
0003115658.tif 000002
【実用新案登録請求の範囲】
【請求項１】
複数本の合成繊維糸を組み合わせた芯材にメローミシンによって合成繊維糸を巻縫いして合成繊維糸の結束糸を形成し、
この合成繊維糸の結束糸を経糸または／および緯糸の一部または全部に使用して所定の大きさの手拭の織物を形成したことを特徴とするあかすり用手拭。
【請求項２】
２〜６本のポリエステルの合成繊維糸の芯材にナイロンの合成繊維糸を巻縫いして合成繊維糸の結束糸を形成した請求項１に記載のあかすり用手拭。
【請求項３】
合成繊維糸の結束糸を経糸および緯糸に使用して手拭を編織した請求項１または２に記載のあかすり用手拭。
【請求項４】
芯材の合成繊維糸を１０〜２０デニール、巻縫いする合成繊維糸を２０〜４０デニールとし、合成繊維糸の結束糸を３〜５ｍｍピッチのやや粗目状に編織した請求項１ないし３のいずれかに記載のあかすり用手拭。
【考案の詳細な説明】
【技術分野】
【０００１】
本考案は、浴用分野におけるあかすり用手拭に関するものである。
【背景技術】
【０００２】
日本人は、温泉をはじめ、サウナ風呂や通常の風呂を好み、身体を洗うのに専らタオルを使用して行っている。この浴用のタオルは、通常では布地にパイルを設けたものが知られているが、布地やパイルが弱く、耐久性に乏しいものであった。
【０００３】
そこで、特許調査した結果、実登録第３０７１６１９号公報、実登録第３０６９１４７号公報などが検索された。
実登録第３０７１６１９号公報は、基布の糸を２６０デニール、浮糸を８５０デニールの太さのものとしたりして強化し、かつ布帛内の空隙を多くして泡立ち性が良く、ハリ、コシを有するものとしている。
【０００４】
また、実登録第３０６９１４７号公報は、アクリル繊維を主成分として熱収縮性アクリル繊維の花糸を直交方向に多数挟み込んで、花糸を熱収縮して花糸による毛羽を叢生したアクリル繊維のあかすりタオルとしたものである。
しかし、これらの繊維布は、泡立ち性がよく、風合いもよくできるものの、天然の麻糸で編織したタオルのような感触が得られなく、あかすり効果が今一歩であった。
【特許文献１】実登録第３０７１６１９号公報
【特許文献２】実登録第３０６９１４７号公報
【考案の開示】
【考案が解決しようとする課題】
【０００５】
本考案の解決しようとする課題は、天然の麻糸で編織したタオルのような感触が得られて、あかすり効果も良好で、さらに耐久性にすぐれたあかすり用手拭を製造することにある。
【課題を解決するための手段】
【０００６】
本考案は、上記のような点に鑑みたもので、上記の課題を解決するために、複数本の合成繊維糸を組み合わせた芯材にメローミシンによって合成繊維糸を巻縫いして合成繊維糸の結束糸を形成し、この合成繊維糸の結束糸を経糸または／および緯糸の一部または全部に使用して所定の大きさの手拭の織物を形成したことを特徴とするあかすり用手拭を提供するにある。
【０００７】
また、２〜６本のポリエステルの合成繊維糸の芯材にナイロンの合成繊維糸を巻縫いして合成繊維糸の結束糸を形成したことを特徴とするあかすり用手拭を提供するにある。
【０００８】
さらに、合成繊維糸の結束糸を経糸および緯糸に使用して手拭を編織したことを特徴とするあかすり用手拭を提供するにある。
【０００９】
さらにまた、芯材の合成繊維糸を１０〜２０デニール、巻縫いする合成繊維糸を２０〜４０デニールとし、合成繊維糸の結束糸を３〜５ｍｍピッチのやや粗目状に編織したことを特徴とするあかすり用手拭を提供するにある。
【考案の効果】
【００１０】
本考案のあかすり用手拭は、複数本の合成繊維糸を組み合わせた芯材にメローミシンによって合成繊維糸を巻縫いして合成繊維糸の結束糸を形成したので、合成繊維糸を結束状態にできて泡立てをよくできるとともに、巻縫いによって麻状の感触がえられ、さらに耐久性も得られるものである。
【００１１】
そして、この合成繊維糸の結束糸を経糸または／および緯糸の一部または全部に使用して所定の大きさの手拭の織物を形成したことによって、泡立てのよい、麻状の感触で、耐久性のよいあかすり用手拭が得られるものである。
【００１２】
また、２〜６本のポリエステルの合成繊維糸の芯材にナイロンの合成繊維糸を巻縫いして合成繊維糸の結束糸を形成したことによって、天然の麻素材の感触を実用化できて、上記のように耐久性のよいあかすり用手拭が得られるものである。
【００１３】
さらに、合成繊維糸の結束糸を経糸および緯糸の全部に使用して手拭を編織したことによって、上記した合成繊維糸の結束糸が経糸、緯糸の両方に編組みされたあかすり用手拭の好適なものを得ることができる。
【００１４】
さらにまた、芯材の合成繊維糸を１０〜２０デニール、巻縫いする合成繊維糸を２０〜４０デニールとし、合成繊維糸の結束糸を３〜５ｍｍピッチのやや粗目状に編織したことによって、芯材は細くて、ハリ、コシを得られるとともに、巻縫い糸が少し太くて、麻状の感触の耐久性のよいあかすり用手拭が得られるものである。
【考案を実施するための最良の形態】
【００１５】
本考案のあかすり用手拭は、複数本の合成繊維糸を組み合わせた芯材にメローミシンによって合成繊維糸を巻縫いして合成繊維糸の結束糸を形成し、この合成繊維糸の結束糸を経糸または／および緯糸の一部または全部に使用して所定の大きさの手拭の織物を形成したことを特徴としている。
【００１６】
あかすり用手拭１は、図１のようにオーバーロックのメローミシン２を利用して、２ないし複数本の合成の繊維糸３を組み合わせた芯材４をメローミシン２に供給し、この芯材４をミシン針５を介して合成の繊維糸の針糸６を上記した組み合わせの芯材４に掛合して巻縫いし、所要の合成繊維糸の結束糸７を形成していくようにしている。
【００１７】
そして、図２のようにこの結束糸７を経糸８または／および緯糸９に使用して所定の大きさの手拭の織物を編織し、あかすり用手拭として使用できるようにしている。
【００１８】
この合成の繊維糸３は、複数本とすることにより含水性のある、泡立てのよい、天然の麻素材の感触を実用化できて、上記のように耐久性のよいあかすり用手拭が得られるものである。この繊維糸３としては、本考案の趣旨の範囲で手拭に好ましい適宜の太さ、本数とすることができる。
【００１９】
上記した結束糸７は、図１のようにオーバーロックのメローミシン２に上記した芯材４を供給して、搖動昇降するミシン針５の針糸６に上糸１１、下糸１２をかがり縫いして掛合することによって容易かつ迅速に得ることができる。
【００２０】
このように形成した結束糸７を図２のように編成機に経糸８または／および緯糸９に使用し、この緯糸または経糸に同じく結束糸７またはポリエステル等の合成繊維糸を編成糸として平織り等の所定の大きさの手拭の織物を編織していくことができるもので、本考案の趣旨にもとづいて適宜に編織することができるものである。
【実施例】
【００２１】
図１、図２は、本考案の一実施例を示すものである。１０〜２０デニールのポリエステルの繊維糸３の２〜４本を適宜に混合して、図１のようにオーバーロックのメローミシン２のガイド板１３に供給し、メローミシン２を駆動してミシン針５を搖動、昇降して１０〜２０デニールのポリエステルの繊維糸の針糸６を上糸１１、下糸１２を介して掛合して巻縫いし、ポリエステルの繊維糸３を適宜に混合した結束糸７を作っていく。その際、メローミシン２の後方に引っ張り用にローラーを設けて引っ張るようにするのが、円滑に結束糸７を作れて好ましい。
【００２２】
そして、この結束糸７を図２のように経糸８および緯糸９として供給し、織物機で編織していくものである。このようにして平織り等に編織した手拭をあかすり用手拭として使用することができる。
【００２３】
その際、合成繊維糸の結束糸を３〜５ｍｍピッチのやや粗目状に編織すると、やや粗目状の手拭が得られ、より麻素材の感触のあかすり用として好適なものである。
【図面の簡単な説明】
【００２４】
【図１】本発明の一実施例の結束糸の形成説明用図、
【図２】同上の手拭の織物の製造説明用図。
【符号の説明】
【００２５】
１…あかすり用手拭        ２…メローミシン      ３…繊維糸        ４…芯材
７…結束糸
【図１】
0003115658.tif 000003
【図２】
0003115658.tif 000004